(57)【特許請求の範囲】
【請求項１】
撮影モードで画像を取得する撮影手段と、
前記撮影手段で取得された前記画像を表示する表示手段と、
印刷モードの場合に画像をプリンタに出力する出力手段と、
印刷モードの場合に前記プリンタにおける印刷の進行状況の前記表示手段への表示を制御する制御手段とを有するデジタルカメラであって、
前記制御手段は、前記プリンタにおける印刷の進行状況の前記表示手段への表示を制御するときに、ユーザが動作モードとして撮影モードを指示した場合は、前記撮影手段から供給される前記画像と、印刷モードでの印刷の進行状況を示す情報とを前記表示手段に同時に表示し、且つ、前記画像は大きく、前記印刷の進行状況を示す情報は小さく表示し、更に、前記プリンタでの印刷が終了したときは、前記撮影モードに係る前記画像の表示を維持したまま、前記印刷の進行状況を示す情報の表示を停止することを特徴とするデジタルカメラ。
【請求項２】
前記デジタルカメラは、前記プリンタとケーブルにより接続されることを特徴とする請求項１に記載のデジタルカメラ。
【請求項３】
前記制御手段は、前記印刷の進行状況を示す情報として、印刷中の画像を少なくとも印刷終了部分を識別できるように表示することを特徴とする請求項１又は２に記載のデジタルカメラ。
【請求項４】
撮影モードで画像を取得する撮影手段と、
前記撮影手段で取得された前記画像を記憶する記憶手段と、
前記撮影手段で取得された画像であって、再生モード時に前記記憶手段から読出される画像を表示する表示手段と、
印刷モードの場合に画像をプリンタに出力する出力手段と、
印刷モードの場合に前記プリンタにおける印刷の進行状況の前記表示手段への表示を制御する制御手段とを有するデジタルカメラであって、
前記制御手段は、前記プリンタにおける印刷の進行状況の前記表示手段への表示を制御するときに、ユーザが動作モードとして再生モードを指示した場合は、前記記憶手段から読出される前記画像と、印刷モードでの印刷の進行状況を示す情報とを前記表示手段に同時に表示し、且つ、前記画像は大きく、前記印刷の進行状況を示す情報は小さく表示し、更に、前記プリンタでの印刷が終了したときは、前記再生モードにおける読出しに係る前記画像の表示を維持したまま、前記印刷の進行状況を示す情報の表示を停止することを特徴とするデジタルカメラ。
【請求項５】
前記デジタルカメラは、前記プリンタとケーブルにより接続されることを特徴とする請求項４に記載のデジタルカメラ。
【請求項６】
前記制御手段は、前記印刷の進行状況を示す情報として、印刷中の画像を少なくとも印刷終了部分を識別できるように表示することを特徴とする請求項１又は２に記載のデジタルカメラ。
【請求項７】
撮影モードで画像を取得する撮影工程と、
印刷モードの場合に画像をプリンタに出力する出力工程と、
印刷モードの場合に前記プリンタにおける印刷の進行状況の表示手段への表示を制御する制御工程とを有するデジタルカメラの制御方法であって、
前記制御工程は、前記プリンタにおける印刷の進行状況の前記表示手段への表示を制御するときに、ユーザが動作モードとして撮影モードを指示した場合は、前記撮影工程から供給される前記画像と、印刷モードでの印刷の進行状況を示す情報とを前記表示手段に同時に表示し、且つ、前記画像は大きく、前記印刷の進行状況を示す情報は小さく表示し、更に、前記プリンタでの印刷が終了したときは、前記撮影モードに係る前記画像の表示を維持したまま、前記印刷の進行状況を示す情報の表示を停止することを特徴とするデジタルカメラの制御方法。
【請求項８】
撮影モードで画像を取得する撮影工程と、
前記撮影手段で取得された前記画像を記憶媒体に記憶する記憶工程と、
印刷モードの場合に画像をプリンタに出力する出力工程と、印刷モードの場合に前記プリンタにおける印刷の進行状況の表示手段への表示を制御する制御工程とを有するデジタルカメラの制御方法であって、
前記制御工程は、前記プリンタにおける印刷の進行状況の前記表示手段への表示を制御するときに、ユーザが動作モードとして再生モードを指示した場合は、前記記憶媒体から読出される前記画像と、印刷モードでの印刷の進行状況を示す情報とを前記表示手段に同時に表示し、且つ、前記画像は大きく、前記印刷の進行状況を示す情報は小さく表示し、更に、前記プリンタでの印刷が終了したときは、前記再生モードにおける読出しに係る前記画像の表示を維持したまま、前記印刷の進行状況を示す情報の表示を停止することを特徴とするデジタルカメラの制御方法。
【発明の詳細な説明】
【０００１】
【発明の属する技術分野】
本発明は、デジタルカメラに関し、特に表示部への表示制御技術に関する。
【０００２】
【従来の技術】
近年、デジタルカメラをケーブルによりプリンタに直接接続し、デジタルカメラで撮影された画像をプリンタでプリントアウトするダイレクトプリント方式が普及し始めている。
【０００３】
この従来のダイレクトプリント方式では、プリントアウト中は、デジタルカメラの画像表示部を使用することはできなかった。
【０００４】
【発明が解決しようとする課題】
このため、従来のダイレクトプリント方式では、印刷モードを選択して印刷を開始すると、プリンタから印刷画像が出力されるまでの間、現在どの画像を印刷しているのか、また、印刷がどの程度進んでいるのか等の印刷状況を把握することができず不便であった。
【０００５】
また、印刷中は、表示部を電子ファインダーとして使用して並行して撮影動作を行ったり、表示部に撮影画像を再生表示させる再生動作を並行して行うことができず、不便であった。
【０００６】
本発明は、このような背景の下になされたもので、その課題は、デジタルカメラにて撮影された画像をダイレクトプリント方式で印刷している際にデジタルカメラの表示部を有効に利用できるようにすることにある。
【０００７】
【課題を解決するための手段】
上記課題を解決するため、本発明は、撮影モードで画像を取得する撮影手段と、前記撮影手段で取得された前記画像を表示する表示手段と、印刷モードの場合に画像をプリンタに出力する出力手段と、印刷モードの場合に前記プリンタにおける印刷の進行状況の前記表示手段への表示を制御する制御手段とを有するデジタルカメラであって、前記制御手段は、前記プリンタにおける印刷の進行状況の前記表示手段への表示を制御するときに、ユーザが動作モードとして撮影モードを指示した場合は、前記撮影手段から供給される前記画像と、印刷モードでの印刷の進行状況を示す情報とを前記表示手段に同時に表示し、且つ、前記画像は大きく、前記印刷の進行状況を示す情報は小さく表示し、更に、前記プリンタでの印刷が終了したときは、前記撮影モードに係る前記画像の表示を維持したまま、前記印刷の進行状況を示す情報の表示を停止することを特徴とする。
また、本発明は、撮影モードで画像を取得する撮影工程と、印刷モードの場合に画像をプリンタに出力する出力工程と、印刷モードの場合に前記プリンタにおける印刷の進行状況の表示手段への表示を制御する制御工程とを有するデジタルカメラの制御方法であって、前記制御工程は、前記プリンタにおける印刷の進行状況の前記表示手段への表示を制御するときに、ユーザが動作モードとして撮影モードを指示した場合は、前記撮影工程から供給される前記画像と、印刷モードでの印刷の進行状況を示す情報とを前記表示手段に同時に表示し、且つ、前記画像は大きく、前記印刷の進行状況を示す情報は小さく表示し、更に、前記プリンタでの印刷が終了したときは、前記撮影モードに係る前記画像の表示を維持したまま、前記印刷の進行状況を示す情報の表示を停止することを特徴とする。
【０００８】
また、本発明は、撮影モードで画像を取得する撮影手段と、前記撮影手段で取得された前記画像を記憶する記憶手段と、前記撮影手段で取得された画像であって、再生モード時に前記記憶手段から読出される画像を表示する表示手段と、印刷モードの場合に画像をプリンタに出力する出力手段と、印刷モードの場合に前記プリンタにおける印刷の進行状況の前記表示手段への表示を制御する制御手段とを有するデジタルカメラであって、前記制御手段は、前記プリンタにおける印刷の進行状況の前記表示手段への表示を制御するときに、ユーザが動作モードとして再生モードを指示した場合は、前記記憶手段から読出される前記画像と、印刷モードでの印刷の進行状況を示す情報とを前記表示手段に同時に表示し、且つ、前記画像は大きく、前記印刷の進行状況を示す情報は小さく表示し、更に、前記プリンタでの印刷が終了したときは、前記再生モードにおける読出しに係る前記画像の表示を維持したまま、前記印刷の進行状況を示す情報の表示を停止することを特徴とする。
また、本発明は、撮影モードで画像を取得する撮影工程と、前記撮影手段で取得された前記画像を記憶媒体に記憶する記憶工程と、印刷モードの場合に画像をプリンタに出力する出力工程と、印刷モードの場合に前記プリンタにおける印刷の進行状況の表示手段への表示を制御する制御工程とを有するデジタルカメラの制御方法であって、前記制御工程は、前記プリンタにおける印刷の進行状況の前記表示手段への表示を制御するときに、ユーザが動作モードとして再生モードを指示した場合は、前記記憶媒体から読出される前記画像と、印刷モードでの印刷の進行状況を示す情報とを前記表示手段に同時に表示し、且つ、前記画像は大きく、前記印刷の進行状況を示す情報は小さく表示し、更に、前記プリンタでの印刷が終了したときは、前記再生モードにおける読出しに係る前記画像の表示を維持したまま、前記印刷の進行状況を示す情報の表示を停止することを特徴とする。
【００１０】
【発明の実施の形態】
以下、図面を参照しながら本発明の実施形態を説明する。
【００１１】
図１は、本発明を適用したデジタルカメラ２０の概略構成を示すブロック図であり、２１は、動作モード選択部である。選択可能な動作モードとしては、撮影を行う撮影モード、撮影した画像を再生する再生モード、印刷を行う印刷モード等が挙げられる。なお、動作モード選択部２１は、動作モードを選択できるものであれば、モードダイヤル、モード決定スイッチ等、特に限定はしない。
【００１２】
２２は、レンズ、ＣＣＤ、絞り等を有する撮像部である。２３は、撮像した画像の現像、圧縮、展開、画像回転、サムネイル画像作成等を行う画像処理部である。２４は、画像表示部２７に対する画像表示動作を制御する表示制御部である。この表示制御部２４は、動作モード選択部２１により選択された動作モードに応じた画像を表示するように制御する。
【００１３】
２５は、デジタルカメラ２０とプリンタ３０とをケーブル２９で直接接続し、デジタルカメラ２０にて撮影された画像をプリンタ３０により直接印刷する際に、印刷対象の画像データをプリンタ３０に転送する転送制御部である。２６は、撮像部２２により撮影され、画像処理部２３により画像処理された画像データを保存、または一時的に保存する画像記録媒体である。画像記録媒体２６は、デジタルカメラ２０に内蔵されたものに限らず、着脱可能な記録媒体であってもよい。
【００１４】
画像表示部２７は、液晶ディスプレイ等により構成され、電子ファインダー等として利用される。また、画像表示部２７には、後述するように、プリンタ３０での印刷の進行状況を示す画像、画像記録媒体２６に記録された画像の再生画像等が表示される。２８は、動作モードの開始・終了を監視する動作モード監視部である。
【００１５】
なお、デジタルカメラ２０の上記の各構成要素の動作は、ＲＯＭ３２にプリセットされたプログラムに基づいて、ＣＰＵ３１により制御される。この際、ＣＰＵ３１は、ＲＡＭ３３をワークエリア等として利用する。
【００１６】
次に、印刷モード時の処理を図２のフローチャートに従って説明する。
【００１７】
モードダイアル等の動作モード選択部２１により印刷モードが選択されると（ステップＳ１０１）、ＣＰＵ３１は、まず、画像表示部２７に撮影画像ファィル名を表示する等した印刷画像の選択画面を表示して、ユーザに印刷画像を選択させる（ステップＳ１０２）。この印刷画像の選択方法は、これに限るものでなく任意であり、複数の印刷画像を一括して選択することも可能である。
【００１８】
印刷画像が選択された後に、ユーザにより印刷開始が指示されると（ステップＳ１０３）、ＣＰＵ３１は、選択された印刷画像の画像データを画像記録媒体２６からＲＡＭ３３に読出し、（ステップＳ１０４）、画像処理部２３により、プリンタ３０に適合するデータフォーマットに変換させる（ステップＳ１０５）。この際、画像処理部２３は、画像記録媒体２６から読出された画像データをＲＡＭ３３に保存したまま、データフォーマット変換された画像データを、ＲＡＭ３３の別エリアに保存する。ただし、データフォーマット変換された画像データは、逐次、転送制御部２５に送出してもよい。
【００１９】
次に、ＣＰＵ３１は、転送制御部２５により、データフォーマット変換された画像データをプリンタ３０に転送させる（ステップＳ１０６）。そして、表示制御部２４により、プリンタ３０での印刷の進行状況を示す画像を画像表示部２７に表示させる（ステップＳ１０７）。印刷の進行状況の表示については、後で詳細に説明する。
【００２０】
次に、ＣＰＵ３１は、１つの画像の印刷が終了したか否かを判別し（ステップＳｌ０８）、終了していなければ、ステップＳ１０６に戻り、画像データの転送、印刷進行状況画像の表示を継続させる。１つの画像の印刷が終了した場合は、例えば、「１枚目の画像の印刷終了」、或いは「ＸＸ画像印刷終了」といったように、１つの画像の印刷が終了した旨を画像表示部２７に表示させる（ステップＳ１０９）。
【００２１】
次に、印刷対象として選択された次の印刷画像が有るか否かを判別し（ステップＳ１１０）、次の印刷画像があれば、ステップＳ１０４に戻り、次の印刷画像について同様の処理を行わせる。次の印刷画像が無ければ、例えば、「全て終了」といったように、印刷対象として選択された全ての印刷画像の印刷が終了した旨を画像表示部２７に表示させて（ステップＳ１１１）、終了する。
【００２２】
次に、印刷の進行状況画像の表示制御について、図３〜図５に基づいて説明する。
【００２３】
図３の例では、転送制御部２５によりプリンタ３０に転送された印刷画像データから順次表示させていくようにしている。この場合は、ＣＰＵ３１は、転送制御部２５によるデータ転送状況を監視し、データ転送済みのデータに対応するＲＡＭ３３内のデータフォーマット変換前の画像データを、順次、表示制御部２４により画像表示部２７に表示させていく。
【００２４】
図４の例では、ＣＰＵ３１は、データフォーマット変換前の画像データの全てを、印刷開始と同時に低彩度で表示させる。そして、転送制御部２５によるデータ転送状況を監視し、データ転送済みのデータに対応するデータフォーマット変換前の画像データを、順次、通常の彩度に変化させていくようにしている。すなわち、プログレッシブＪＰＥＧと同様の方式で印刷の進行状況を表示している。
【００２５】
図５の例では、画像表示部２７に棒グラフ表示エリアＥを設け、転送制御部２５によるデータ転送量に応じて棒グラフ表示エリアＥでの棒グラフを伸長させていくようにしている。
【００２６】
なお、印刷進行状況を棒グラフで示すことなく、例えば、「１５％」といったように、印刷が終了した画像の割合を文字情報で表示するようにしてもよい。また、この文字情報と棒グラフを併用することも可能である。さらに、「残り１５％」といったように、印刷未完了の画像の割合を文字情報で表示するようにしてもよい。また、「後、３分３０秒」といったように、印刷完了までの所要時間を表示してもよい。
【００２７】
このように、印刷モード選択時に、印刷進行状況画像を表示することで、現在どの画像を印刷しているのか（図３，４の場合）、また印刷がどの程度終了したか（図３〜５に共通）等をユーザーが確実に把握することができ、デジタルカメラにより次に何を行うか等を容易に決定することができ、使い勝手が向上する。
【００２８】
次に、印刷モードと撮影モードとが競合する場合における表示処理を図６のフローチャートに従って説明する。
【００２９】
ＣＰＵ３１は、印刷モードが開始されると（ステップＳ２１）、撮影モードが開始されたか否かを判別する（ステップＳ２２）。その結果、撮影モードが開始されていなければ、印刷モードが終了したか否かを判別し（ステップＳ２３）、印刷モードが終了した場合は、終了する。一方、印刷モードが終了していなければ、印刷進行状況画像のみを画像表示部２７に表示させ（ステップＳ２４、図７のＧ１，Ｇ２参照）、ステップＳ２１に戻る。
【００３０】
ステップＳ２２にて、撮影モードが開始されたと判別された場合は、撮影モード、又は印刷モードが終了したか否かを判別する（ステップＳ２５）。その結果、撮影モード、又は印刷モードが終了していなければ、電子ファインダー画像と印刷進行状況画像とを画像表示部２７に同時に表示させて（ステップＳ２６、図７のＧ３，Ｇ４参照）、ステップＳ２５に戻る。
【００３１】
一方、撮影モード、又は印刷モードが終了した場合は、撮影モードが終了したのか、或いは印刷モードが終了したのかを判別する（ステップＳ２７）。その結果、撮影モードが終了している場合は、印刷進行状況画像のみを画像表示部２７に表示させて（ステップＳ２８、図７のＧ１，Ｇ２参照）、印刷モードが終了したか否かを判別する（ステップＳ２９）。その結果、印刷モードが終了していなければ、ステップＳ２８に戻り、印刷進行状況画像のみの表示を継続させ、印刷モードが終了していれば、終了する。
【００３２】
ステップＳ２７にて、印刷モードが終了したと判別された場合は、電子ファインダー画像のみを画像表示部２７に表示させて（ステップＳ３０、図７のＧ５参照）、撮影モードが終了したか否かを判別する（ステップＳ３１）。その結果、撮影モードが終了していなければ、ステップＳ３０に戻り、電子ファインダー画像のみの表示を継続させ、撮影モードが終了していれば、終了する。
【００３３】
図７の例では、印刷進行状況画像、又は電子ファインダー画像を単独で表示する場合は、これら単独の画像を画像表示部２７の表示画面全体に大きく表示し、印刷進行状況画像と電子ファインダー画像を同時に画像表示部２７に表示する場合は、これら画像を重畳して表示することにより、画像表示部２７の限られた広さの表示画面を有効に利用している。
【００３４】
また、印刷進行状況画像の表示形態としては、図４の形式、すなわちプログレッシブＪＰＥＧ方式で表示する共に、サムネイル画像にして小さく表示し、電子ファインダー画像は、画像表示部２７の表示画面全体に大きく表示している。このように、電子ファインダー画像の方を大きく表示するのは、ユーザが撮影操作をスムーズに行えるようにするためである。
【００３５】
しかし、本発明は、このような表示形態に限定されることなく、例えば、印刷進行状況画像は、図３のように印刷が終了した部分の画像から徐々に表示したり、或いは図５のように棒グラフ形式で表示してもよい。図３のように印刷が終了した部分の画像から徐々に表示する場合も、サムネイル画像として表示するのが望ましい。
【００３６】
また、印刷進行状況画像と電子ファインダー画像とを同時に表示する場合に、これら画像を重畳することなく、画像表示部２７の互いに異なる表示領域に分散して同時に表示することも可能である。この場合には、電子ファインダー画像の表示領域を、印刷進行状況画像の表示領域よりも広くすることにより、ユーザが撮影操作をスムーズに行えるようにするのが望ましい。
【００３７】
このように、印刷進行状況画像と電子ファインダー画像とを同時に表示することにより、ユーザーは、時間を節約でき、さらに、印刷進行状況と撮影予定の画像とを確認しながらスムーズに撮影操作等を行うことが可能になる。
【００３８】
なお、図８に示したように、電子ファインダー画像の代わりに、再生画像を印刷進行状況画像と共に表示することも可能である。この場合は、図６に示した手順と同様の手順で画像表示制御を行えばよい。
【００３９】
また、印刷モードと操影モード、又は再生モードが競合する場合だけでなく、印刷モードと他の動作モードが競合した場合にも適用することが可能である。
【００４０】
【発明の効果】
以上説明したように、本発明によれば、撮影モードで画像を取得する撮影手段と、前記撮影手段で取得された前記画像を表示する表示手段と、印刷モードの場合に画像をプリンタに出力する出力手段と、印刷モードの場合に前記プリンタにおける印刷の進行状況の前記表示手段への表示を制御する制御手段とを有するデジタルカメラであって、前記制御手段は、前記プリンタにおける印刷の進行状況の前記表示手段への表示を制御するときに、ユーザが動作モードとして撮影モードを指示した場合は、前記撮影手段から供給される前記画像と、印刷モードでの印刷の進行状況を示す情報とを前記表示手段に同時に表示し、且つ、前記画像は大きく、前記印刷の進行状況を示す情報は小さく表示し、更に、前記プリンタでの印刷が終了したときは、前記撮影モードに係る前記画像の表示を維持したまま、前記印刷の進行状況を示す情報の表示を停止するので、デジタルカメラにて撮影された画像をダイレクトプリント方式で印刷している際にデジタルカメラの表示部を有効に利用することが可能となる。
【図面の簡単な説明】
【図１】本発明を適用したデジタルカメラの概略構成を示すブロック図である。
【図２】印刷モード時の処理を示すフローチャートである。
【図３】印刷進行状況を示す第１の画像例を説明するための図である。
【図４】印刷進行状況を示す第２の画像例を説明するための図である。
【図５】印刷進行状況を示す第３の画像例を説明するための図である。
【図６】印刷モードと撮影モードとが競合する場合の画像表示制御を示すフローチャートである。
【図７】印刷モードと撮影モードとが競合する場合の画像表示例を示す図である。
【図８】印刷モードと再生モードとが競合する場合の画像表示例を示す図である。
【符号の説明】
２０：デジタルカメラ
２１：動作モード選択部
２２：撮像部
２３：画像処理部
２４：表示制御部
２５：転送制御部
２６：画像記録媒体
２７：画像表示部
２８：動作モード監視部
２９：ケーブル
３０：プリンタ
３１：ＣＰＵ
３２：ＲＯＭ
３３：ＲＡＭ
【図１】
0004454819.tif 000002
【図２】
0004454819.tif 000003
【図３】
0004454819.tif 000004
【図４】
0004454819.tif 000005
【図５】
0004454819.tif 000006
【図６】
0004454819.tif 000007
【図７】
0004454819.tif 000008
【図８】
0004454819.tif 000009